(57)【要約】【課題】アクチュエータの消費電力の推定値を正確に決定する。【解決手段】この空気調和機（室内機）は、同一の電源回路に接続された複数のアクチュエータを備えた機器の消費電力を推定する。この電源回路には、ファンと表示パネルとが接続されており、制御部は、ファンの消費電力の推定値を、ファンの運転状態に応じて決定する。具体的には、制御部は、ファンがＯＦＦ状態の場合には表示パネルの消費電力の推定値をＡ１と決定し、ファンがＯＮ状態の場合には表示パネルの消費電力の推定値をＡ２と決定する。【選択図】図４
2010121866.tif 000002
【特許請求の範囲】
【請求項１】
同一の電源回路に接続された複数のアクチュエータを備えた機器の消費電力を推定する消費電力推定装置であって、
前記複数のアクチュエータは、第１アクチュエータ及び１又は複数のアクチュエータを有する第２アクチュエータ群を含んでおり、
前記第１アクチュエータの消費電力の推定値を、前記第２アクチュエータ群の運転状態に応じて決定する決定手段を備えていることを特徴とする、消費電力推定装置。
【請求項２】
前記決定手段は、前記第１アクチュエータの消費電力の推定値を、前記第２アクチュエータ群においてＯＮ状態であるアクチュエータの数に応じて決定することを特徴とする、請求項１に記載の消費電力推定装置。
【請求項３】
前記決定手段は、前記第１アクチュエータの消費電力の推定値を、前記第２アクチュエータ群においてＯＮ状態であるアクチュエータの数が大きいほど小さい値に決定することを特徴とする、請求項２に記載の消費電力推定装置。
【請求項４】
前記決定手段は、前記第１アクチュエータの消費電力の推定値を、前記第２アクチュエータ群においてＯＮ状態であるアクチュエータの運転負荷に応じて決定することを特徴とする、請求項１に記載の消費電力推定装置。
【請求項５】
前記運転負荷は、その大きさに応じて複数の運転ゾーンに区切られ、
前記決定手段は、前記第１アクチュエータの消費電力の推定値を、前記複数の運転ゾーンに応じて決定することを特徴とする、請求項４に記載の消費電力推定装置。
【請求項６】
前記決定手段は、前記第１アクチュエータの消費電力の推定値を、当該第１アクチュエータの運転状態及び前記第２アクチュエータ群の運転状態に応じて決定することを特徴とする、請求項１に記載の消費電力推定装置。
【請求項７】
前記決定手段は、前記第１アクチュエータの消費電力の推定値を、当該第１アクチュエータ及び前記第２アクチュエータ群においてＯＮ状態であるアクチュエータの数に応じて決定することを特徴とする、請求項６に記載の消費電力推定装置。
【請求項８】
前記決定手段は、前記第１アクチュエータの消費電力の推定値を、当該第１アクチュエータの運転負荷と前記第２アクチュエータ群においてＯＮ状態であるアクチュエータの運転負荷との合計に応じて決定することを特徴とする、請求項５に記載の消費電力推定装置。
【請求項９】
前記運転負荷の合計は、その大きさに応じて複数の運転ゾーンに区切られ、
前記決定手段は、前記第１アクチュエータの消費電力の推定値を、前記複数の運転ゾーンに応じて決定することを特徴とする、請求項８に記載の消費電力推定装置。
【請求項１０】
同一の電源回路に接続された複数のアクチュエータを備えた機器の消費電力を推定する消費電力推定装置であって、
前記複数のアクチュエータは、第１アクチュエータ及び１又は複数のアクチュエータを有する第２アクチュエータ群を含んでおり、
前記第１アクチュエータの消費電力と前記第２アクチュエータ群の消費電力との合計推定値を、前記第２アクチュエータ群の運転状態に応じて決定する決定手段を備えていることを特徴とする、消費電力推定装置。
【請求項１１】
前記決定手段は、前記合計推定値を、前記第２アクチュエータ群においてＯＮ状態であるアクチュエータの数に応じて決定することを特徴とする、請求項１０に記載の消費電力推定装置。
【請求項１２】
前記決定手段は、前記合計推定値を、前記第２アクチュエータ群においてＯＮ状態であるアクチュエータの数が大きいほど小さい値に決定することを特徴とする、請求項１１に記載の消費電力推定装置。
【請求項１３】
前記決定手段は、前記合計推定値を、前記第２アクチュエータ群においてＯＮ状態であるアクチュエータの運転負荷に応じて決定することを特徴とする、請求項１０に記載の消費電力推定装置。
【請求項１４】
前記運転負荷は、その大きさに応じて複数の運転ゾーンに区切られ、
前記決定手段は、前記合計推定値を、前記複数の運転ゾーンに応じて決定することを特徴とする、請求項１３に記載の消費電力推定装置。
【請求項１５】
前記決定手段は、前記合計推定値を、当該第１アクチュエータの運転状態及び前記第２アクチュエータ群の運転状態に応じて決定することを特徴とする、請求項１０に記載の消費電力推定装置。
【請求項１６】
前記決定手段は、前記合計推定値を、当該第１アクチュエータ及び前記第２アクチュエータ群においてＯＮ状態であるアクチュエータの数に応じて決定することを特徴とする、請求項１５に記載の消費電力推定装置。
【請求項１７】
前記決定手段は、前記合計推定値を、当該第１アクチュエータの運転負荷と前記第２アクチュエータ群においてＯＮ状態であるアクチュエータの運転負荷との合計に応じて決定することを特徴とする、請求項１５に記載の消費電力推定装置。
【請求項１８】
前記運転負荷の合計は、その大きさに応じて複数の運転ゾーンに区切られ、
前記決定手段は、前記合計推定値を、前記複数の運転ゾーンに応じて決定することを特徴とする、請求項１７に記載の消費電力推定装置。
【請求項１９】
前記第１アクチュエータは、前記第２アクチュエータ群の各アクチュエータに比べて定格消費電力が小さいことを特徴とする、請求項１〜１８のいずれか１項に記載の消費電力推定装置。
【請求項２０】
前記第１アクチュエータと、前記第２アクチュエータ群の少なくとも１つのアクチュエータとは、同等の定格消費電力であることを特徴とする、請求項１〜１８のいずれか１項に記載の消費電力推定装置。
【請求項２１】
前記第２アクチュエータ群の少なくとも１つのアクチュエータは、空気調和機の室内機に設けられるファンであることを特徴とする、請求項１〜２０のいずれか１項に記載の消費電力推定装置。
【請求項２２】
前記第１アクチュエータは、前記第１アクチュエータの消費電力の推定値又は前記合計推定値を用いて前記機器の消費電力の推定値を表示する表示ユニットであることを特徴とする、請求項１〜２１のいずれか１項に記載の消費電力推定装置。
【請求項２３】
請求項１〜２２のいずれか１項に記載の消費電力推定装置を備えた、空気調和機。
【発明の詳細な説明】
【技術分野】
【０００１】
本発明は、同一の電源回路に接続される複数のアクチュエータを備えた機器の消費電力を推定する消費電力推定装置及びその消費電力推定装置を備えた空気調和機に関する。
【背景技術】
【０００２】
従来、アクチュエータにおいて消費した電力量を推定する消費電力推定機能を有する空気調和機が知られている（例えば、特許文献１参照）。
【特許文献１】特開平５−２２９３３４号公報
【発明の開示】
【発明が解決しようとする課題】
【０００３】
アクチュエータの消費電力の推定値として、そのアクチュエータがＯＮ状態であるときに消費するであろう１つの推定値が定義されているのが一般的である。しかしながら、同一の電源回路に複数のアクチュエータが接続される場合、一のアクチュエータの実際の消費電力は、他のアクチュエータの運転状態に応じて変化する。これは、電源回路において電源効率が良い帯域が存在するためであり、微小な電力しか必要としないアクチュエータだけが動作する状態と、複数のアクチュエータが各々適当に動作する状態とでは、複数のアクチュエータが各々適当に動作する状態の方が電源効率が良いのが通常である。このため、アクチュエータがＯＮ状態であるときに消費するであろう１つの推定値が、実際のアクチュエータの消費電力とかけ離れた値になる場合があり、当該アクチュエータの消費電力の推定値を正確に決定できない場合がある。
【０００４】
そこで、この発明は、上記のような課題を解決するためになされたものであり、アクチュエータの消費電力の推定値を正確に決定することが可能となる消費電力推定装置及び空気調和機を提供することを目的とする。
【課題を解決するための手段】
【０００５】
第１の発明にかかる消費電力推定装置は、同一の電源回路に接続された複数のアクチュエータを備えた機器の消費電力を推定する消費電力推定装置であって、前記複数のアクチュエータは、第１アクチュエータ及び１又は複数のアクチュエータを有する第２アクチュエータ群を含んでおり、前記第１アクチュエータの消費電力の推定値を、前記第２アクチュエータ群の運転状態に応じて決定する決定手段を備えている。
【０００６】
この消費電力推定装置では、第２アクチュエータ群の運転状態の影響に応じて電源回路の効率が変動する場合に、第１アクチュエータの消費電力の推定値を正確に決定することができる。
【０００７】
第２の発明にかかる消費電力推定装置は、第１の発明にかかる消費電力推定装置において、前記決定手段は、前記第１アクチュエータの消費電力の推定値を、前記第２アクチュエータ群においてＯＮ状態であるアクチュエータの数に応じて決定する。
【０００８】
この消費電力推定装置では、第２アクチュエータ群においてＯＮ状態であるアクチュータの数に応じて第１アクチュエータの消費電力の推定値を決定することができるので、第１アクチュエータの消費電力が小さい場合等、簡単な方法で電源回路の効率を考慮した第１アクチュエータの消費電力の推定値を決定することができる。
【０００９】
第３の発明にかかる消費電力推定装置は、第２の発明にかかる消費電力推定装置において、前記決定手段は、前記第１アクチュエータの消費電力の推定値を、前記第２アクチュエータ群においてＯＮ状態であるアクチュエータの数が大きいほど小さい値に決定する。
【００１０】
この消費電力推定装置では、第２アクチュエータ群においてＯＮ状態のアクチュエータが多いときに電源回路の効率が向上するように設定した場合に、第１アクチュエータの消費電力の推定値を正確に決定することができる。
【００１１】
第４の発明にかかる消費電力推定装置は、第１の発明にかかる消費電力推定装置において、前記決定手段は、前記第１アクチュエータの消費電力の推定値を、前記第２アクチュエータ群においてＯＮ状態であるアクチュエータの運転負荷に応じて決定する。
【００１２】
この消費電力推定装置では、第２アクチュエータ群の運転負荷の影響に応じて電源回路の効率が変動する場合に、第１アクチュエータの消費電力の推定値を正確に決定することができる。なお、第２アクチュエータ群においてＯＮ状態であるアクチュエータが複数であるときは、運転負荷は当該ＯＮ状態のアクチュエータの各運転負荷の合計である。
【００１３】
第５の発明にかかる消費電力推定装置は、第４の発明にかかる消費電力推定装置において、前記運転負荷は、その大きさに応じて複数の運転ゾーンに区切られ、前記決定手段は、前記第１アクチュエータの消費電力の推定値を、前記複数の運転ゾーンに応じて決定する。
【００１４】
この消費電力推定装置では、第２アクチュエータ群の運転負荷に係る運転ゾーンに応じて決定される推定値を用いて、第１アクチュエータの消費電力の推定値を正確に決定することができる。
【００１５】
第６の発明にかかる消費電力推定装置は、第１の発明にかかる消費電力推定装置において、前記決定手段は、前記第１アクチュエータの消費電力の推定値を、当該第１アクチュエータの運転状態及び前記第２アクチュエータ群の運転状態に応じて決定する。
【００１６】
この消費電力推定装置では、第１アクチュエータの運転状態及び第２アクチュエータ群の運転状態の影響に応じて電源回路の効率が変動する場合に、第１アクチュエータの消費電力の推定値を正確に決定することができる。
【００１７】
第７の発明にかかる消費電力推定装置は、第６の発明にかかる消費電力推定装置において、前記決定手段は、前記第１アクチュエータの消費電力の推定値を、当該第１アクチュエータ及び前記第２アクチュエータ群においてＯＮ状態であるアクチュエータの数に応じて決定する。
【００１８】
この消費電力推定装置では、第１アクチュエータ及び第２アクチュエータ群においてＯＮ状態のアクチュエータの数に応じて第１アクチュエータの消費電力の推定値を決定することができるので、ＯＮ状態のアクチュエータの数に応じて電源回路の効率が変動する場合に、簡単な方法で電源回路の効率を考慮した第１アクチュエータの消費電力の推定値を決定することができる。
【００１９】
第８の発明にかかる消費電力推定装置は、第５の発明にかかる消費電力推定装置において、前記決定手段は、前記第１アクチュエータの消費電力の推定値を、当該第１アクチュエータの運転負荷と前記第２アクチュエータ群においてＯＮ状態であるアクチュエータの運転負荷との合計に応じて決定する。
【００２０】
この消費電力推定装置では、第１アクチュエータの運転状態及び第２アクチュエータ群の運転状態の影響に応じて電源回路の効率が変動する場合に、第１アクチュエータの消費電力の推定値を正確に決定することができる。
【００２１】
第９の発明にかかる消費電力推定装置は、第８の発明にかかる消費電力推定装置において、前記運転負荷の合計は、その大きさに応じて複数の運転ゾーンに区切られ、前記決定手段は、前記第１アクチュエータの消費電力の推定値を、前記複数の運転ゾーンに応じて決定する。
【００２２】
この消費電力推定装置では、第１アクチュータの運転負荷及び第２アクチュエータ群の運転負荷の合計に係る運転ゾーンに応じて決定される推定値を用いて、第１アクチュエータの消費電力の推定値を正確に決定することができる。
【００２３】
第１０の発明にかかる消費電力推定装置は、同一の電源回路に接続された複数のアクチュエータを備えた機器の消費電力を推定する消費電力推定装置であって、前記複数のアクチュエータは、第１アクチュエータ及び１又は複数のアクチュエータを有する第２アクチュエータ群を含んでおり、前記第１アクチュエータの消費電力と前記第２アクチュエータ群の消費電力との合計推定値を、前記第２アクチュエータ群の運転状態に応じて決定する決定手段を備えている。
【００２４】
この消費電力推定装置では、第２アクチュエータ群の運転状態の影響に応じて電源回路の効率が変動する場合に、当該合計推定値を正確に決定することができる。
【００２５】
第１１の発明にかかる消費電力推定装置は、第１０の発明にかかる消費電力推定装置において、前記決定手段は、前記合計推定値を、前記第２アクチュエータ群においてＯＮ状態であるアクチュエータの数に応じて決定する。
【００２６】
この消費電力推定装置では、第２アクチュエータ群においてＯＮ状態であるアクチュータの数に応じて当該合計推定値を決定することができるので、第１アクチュエータの消費電力が小さい場合等、簡単な方法で電源回路の効率を考慮した当該合計推定値を決定することができる。
【００２７】
第１２の発明にかかる消費電力推定装置は、第１１の発明にかかる消費電力推定装置において、前記決定手段は、前記合計推定値を、前記第２アクチュエータ群においてＯＮ状態であるアクチュエータの数が大きいほど小さい値に決定する。
【００２８】
この消費電力推定装置では、第２アクチュエータ群においてＯＮ状態のアクチュエータが多いときに電源回路の効率が向上するように設定した場合に、当該合計推定値を正確に決定することができる。
【００２９】
第１３の発明にかかる消費電力推定装置は、第１０の発明にかかる消費電力推定装置において、前記決定手段は、前記合計推定値を、前記第２アクチュエータ群においてＯＮ状態であるアクチュエータの運転負荷に応じて決定する。
【００３０】
この消費電力推定装置では、第２アクチュエータ群の運転負荷の影響に応じて電源回路の効率が変動する場合に、当該合計推定値を正確に決定することができる。なお、第２アクチュエータ群においてＯＮ状態であるアクチュエータが複数であるときは、運転負荷は当該ＯＮ状態のアクチュエータの各運転負荷の合計である。
【００３１】
第１４の発明にかかる消費電力推定装置は、第１３の発明にかかる消費電力推定装置において、前記運転負荷は、その大きさに応じて複数の運転ゾーンに区切られ、前記決定手段は、前記合計推定値を、前記複数の運転ゾーンに応じて決定する。
【００３２】
この消費電力推定装置では、第２アクチュエータ群の運転負荷に係る運転ゾーンに応じて決定される推定値を用いて、当該合計推定値を正確に決定することができる。
【００３３】
第１５の発明にかかる消費電力推定装置は、第１０の発明にかかる消費電力推定装置において、前記決定手段は、前記合計推定値を、当該第１アクチュエータの運転状態及び前記第２アクチュエータ群の運転状態に応じて決定する。
【００３４】
この消費電力推定装置では、第１アクチュエータの運転状態及び第２アクチュエータ群の運転状態の影響に応じて電源回路の効率が変動する場合に、当該合計推定値を正確に決定することができる。
【００３５】
第１６の発明にかかる消費電力推定装置は、第１５の発明にかかる消費電力推定装置において、前記決定手段は、前記合計推定値を、当該第１アクチュエータ及び前記第２アクチュエータ群においてＯＮ状態であるアクチュエータの数に応じて決定する。
【００３６】
この消費電力推定装置では、第１アクチュエータ及び第２アクチュエータ群においてＯＮ状態のアクチュエータの数に応じて当該合計推定値を決定することができるので、ＯＮ状態のアクチュエータの数に応じて電源回路の効率が変動する場合に、簡単な方法で電源回路の効率を考慮した当該合計推定値を決定することができる。
【００３７】
第１７の発明にかかる消費電力推定装置は、第１５の発明にかかる消費電力推定装置において、前記決定手段は、前記合計推定値を、当該第１アクチュエータの運転負荷と前記第２アクチュエータ群においてＯＮ状態であるアクチュエータの運転負荷との合計に応じて決定する。
【００３８】
この消費電力推定装置では、第１アクチュエータの運転状態及び第２アクチュエータ群の運転状態の影響に応じて電源回路の効率が変動する場合に、当該合計推定値を正確に決定することができる。
【００３９】
第１８の発明にかかる消費電力推定装置は、第１７の発明にかかる消費電力推定装置において、前記運転負荷の合計は、その大きさに応じて複数の運転ゾーンに区切られ、前記決定手段は、前記合計推定値を、前記複数の運転ゾーンに応じて決定する。
【００４０】
この消費電力推定装置では、第１アクチュータの運転負荷及び第２アクチュエータ群の運転負荷の合計に係る運転ゾーンに応じて決定される推定値を用いて、当該合計推定値を正確に決定することができる。
【００４１】
第１９の発明にかかる消費電力推定装置は、第１〜第１８のいずれかの発明にかかる消費電力推定装置において、第１アクチュエータは、第２アクチュエータ群の各アクチュエータに比べて定格消費電力が小さい。
【００４２】
この消費電力推定装置では、電源回路の効率に寄与する定格消費電力が大きい第２アクチュエータ群の運転状態に応じて第１アクチュエータの消費電力の推定値や当該合計推定値を決定することができるので、それらの推定値を正確に決定することができる。
【００４３】
第２０の発明にかかる消費電力推定装置は、第１〜第１８のいずれかの発明にかかる消費電力推定装置において、第１アクチュエータと、第２アクチュエータ群の少なくとも１つのアクチュエータとは、同等の定格消費電力である。
【００４４】
この消費電力推定装置では、電源回路の効率に同等に寄与する定格消費電力が同等の第１アクチュエータ及び第２アクチュエータ群の少なくとも１つのアクチュエータの運転状態に応じて第１アクチュエータの消費電力の推定値や当該合計推定値を決定することができるので、それらの推定値を正確に決定することができる。
【００４５】
第２１の発明にかかる消費電力推定装置は、第１〜第２０のいずれかの発明にかかる消費電力推定装置において、第２アクチュエータ群の少なくとも１つのアクチュエータは、空気調和機の室内機に設けられるファンである。
【００４６】
この消費電力推定装置では、電源回路の効率に顕著に寄与するファンの運転状態に応じて第１アクチュエータの消費電力の推定値や当該合計推定値を決定することができるので、それらの推定値を正確に決定することができる。
【００４７】
第２２の発明にかかる消費電力推定装置は、第１〜第２１のいずれかの発明にかかる消費電力推定装置において、第１アクチュエータは、第１アクチュエータの消費電力の推定値又は当該合計推定値を用いて機器の消費電力の推定値を表示する表示ユニットである。
【００４８】
この消費電力推定装置では、電源回路の効率によりその消費電力が変動する表示ユニットの消費電力の推定値を正確に決定することができる。また、その決定した消費電力の推定値を用いて機器の消費電力の推定値を表示することで、ユーザに消費した消費電力の推定値を報知することができる。
【００４９】
第２３の発明にかかる空気調和機は、第１〜第２２のいずれかの発明にかかる消費電力推定装置を備えている。
【００５０】
この空気調和機では、第１アクチュエータ（例えば、表示ユニットやファン）の消費電力の推定値を正確に決定したり、空気調和機の消費電力の推定値を正確に決定することができる。
【発明の効果】
【００５１】
以上の説明に述べたように、本発明によれば、以下の効果が得られる。
【００５２】
第１の発明では、第２アクチュエータ群の運転状態の影響に応じて電源回路の効率が変動する場合に、第１アクチュエータの消費電力の推定値を正確に決定することができる。
【００５３】
また、第２の発明では、第２アクチュエータ群においてＯＮ状態であるアクチュータの数に応じて第１アクチュエータの消費電力の推定値を決定することができるので、第１アクチュエータの消費電力が小さい場合等、簡単な方法で電源回路の効率を考慮した第１アクチュエータの消費電力の推定値を決定することができる。
【００５４】
また、第３の発明では、第２アクチュエータ群においてＯＮ状態のアクチュエータが多いときに電源回路の効率が向上するように設定した場合に、第１アクチュエータの消費電力の推定値を正確に決定することができる。
【００５５】
また、第４の発明では、第２アクチュエータ群の運転負荷の影響に応じて電源回路の効率が変動する場合に、第１アクチュエータの消費電力の推定値を正確に決定することができる。なお、第２アクチュエータ群においてＯＮ状態であるアクチュエータが複数であるときは、運転負荷は当該ＯＮ状態のアクチュエータの各運転負荷の合計である。
【００５６】
また、第５の発明では、第２アクチュエータ群の運転負荷に係る運転ゾーンに応じて決定される推定値を用いて、第１アクチュエータの消費電力の推定値を正確に決定することができる。
【００５７】
また、第６の発明では、第１アクチュエータの運転状態及び第２アクチュエータ群の運転状態の影響に応じて電源回路の効率が変動する場合に、第１アクチュエータの消費電力の推定値を正確に決定することができる。
【００５８】
また、第７の発明では、第１アクチュエータ及び第２アクチュエータ群においてＯＮ状態のアクチュエータの数に応じて第１アクチュエータの消費電力の推定値を決定することができるので、ＯＮ状態のアクチュエータの数に応じて電源回路の効率が変動する場合に、簡単な方法で電源回路の効率を考慮した第１アクチュエータの消費電力の推定値を決定することができる。
【００５９】
また、第８の発明では、第１アクチュエータの運転状態及び第２アクチュエータ群の運転状態の影響に応じて電源回路の効率が変動する場合に、第１アクチュエータの消費電力の推定値を正確に決定することができる。
【００６０】
また、第９の発明では、第１アクチュータの運転負荷及び第２アクチュエータ群の運転負荷の合計に係る運転ゾーンに応じて決定される推定値を用いて、第１アクチュエータの消費電力の推定値を正確に決定することができる。
【００６１】
また、第１０の発明では、第２アクチュエータ群の運転状態の影響に応じて電源回路の効率が変動する場合に、当該合計推定値を正確に決定することができる。
【００６２】
また、第１１の発明では、第２アクチュエータ群においてＯＮ状態であるアクチュータの数に応じて当該合計推定値を決定することができるので、第１アクチュエータの消費電力が小さい場合等、簡単な方法で電源回路の効率を考慮した当該合計推定値を決定することができる。
【００６３】
また、第１２の発明では、第２アクチュエータ群においてＯＮ状態のアクチュエータが多いときに電源回路の効率が向上するように設定した場合に、当該合計推定値を正確に決定することができる。
【００６４】
また、第１３の発明では、第２アクチュエータ群の運転負荷の影響に応じて電源回路の効率が変動する場合に、当該合計推定値を正確に決定することができる。なお、第２アクチュエータ群においてＯＮ状態であるアクチュエータが複数であるときは、運転負荷は当該ＯＮ状態のアクチュエータの各運転負荷の合計である。
【００６５】
また、第１４の発明では、第２アクチュエータ群の運転負荷に係る運転ゾーンに応じて決定される推定値を用いて、当該合計推定値を正確に決定することができる。
【００６６】
また、第１５の発明では、第１アクチュエータの運転状態及び第２アクチュエータ群の運転状態の影響に応じて電源回路の効率が変動する場合に、当該合計推定値を正確に決定することができる。
【００６７】
また、第１６の発明では、第１アクチュエータ及び第２アクチュエータ群においてＯＮ状態のアクチュエータの数に応じて当該合計推定値を決定することができるので、ＯＮ状態のアクチュエータの数に応じて電源回路の効率が変動する場合に、簡単な方法で電源回路の効率を考慮した当該合計推定値を決定することができる。
【００６８】
また、第１７の発明では、第１アクチュエータの運転状態及び第２アクチュエータ群の運転状態の影響に応じて電源回路の効率が変動する場合に、当該合計推定値を正確に決定することができる。
【００６９】
また、第１８の発明では、第１アクチュータの運転負荷及び第２アクチュエータ群の運転負荷の合計に係る運転ゾーンに応じて決定される推定値を用いて、当該合計推定値を正確に決定することができる。
【００７０】
また、第１９の発明では、電源回路の効率に寄与する定格消費電力が大きい第２アクチュエータ群の運転状態に応じて第１アクチュエータの消費電力の推定値や当該合計推定値を決定することができるので、それらの推定値を正確に決定することができる。
【００７１】
また、第２０の発明では、電源回路の効率に同等に寄与する定格消費電力が同等の第１アクチュエータ及び第２アクチュエータ群の少なくとも１つのアクチュエータの運転状態に応じて第１アクチュエータの消費電力の推定値や当該合計推定値を決定することができるので、それらの推定値を正確に決定することができる。
【００７２】
また、第２１の発明では、電源回路の効率に顕著に寄与するファンの運転状態に応じて第１アクチュエータの消費電力の推定値や当該合計推定値を決定することができるので、それらの推定値を正確に決定することができる。
【００７３】
また、第２２の発明では、電源回路の効率によりその消費電力が変動する表示ユニットの消費電力の推定値を正確に決定することができる。また、その決定した消費電力の推定値を用いて機器の消費電力の推定値を表示することで、ユーザに消費した消費電力の推定値を報知することができる。
【００７４】
また、第２３の発明では、第１アクチュエータ（例えば、表示ユニットやファン）の消費電力の推定値を正確に決定したり、空気調和機の消費電力の推定値を正確に決定することができる。
【発明を実施するための最良の形態】
【００７５】
以下、図面に基づいて、本発明に係る空気調和機（消費電力推定装置）の実施形態について説明する。
【００７６】
（第１実施形態）
図１は、本発明の第１実施形態に係る空気調和機の全体構成を示した斜視図である。図２は、図１に示した空気調和機の室内機の内部構造を示した断面図である。図３は、図１に示した空気調和機の室内機のブロック図である。図４は、図２に示した室内機の表示パネルの消費電力の推定値を示した表である。図５は、図２に示した室内機のファンの消費電力の推定値を示した表である。以下、図１〜図５を参照して、本発明の第１実施形態に係る空気調和機１について詳細に説明する。なお、本実施形態では、消費電力推定装置の一例である空気調和機に本発明を適用した場合について説明する。
【００７７】
この空気調和機１は、図１に示すように、室内の壁面等に設置される室内機１ａと、室外に設置される室外機１ｂと、室内機１ａと通信可能なリモコン１ｃとを備えている。
【００７８】
［室内機］
室内機１ａは、図２に示すように、主として、ケーシング１０と、そのケーシング１０内に配置される室内熱交換器１１及びファン１２とを備えている。このケーシング１０の上部には吸込口１３が設けられると共に、下部には吹出口１４が設けられている。ファン１２が駆動することによって吸込口１３から吸い込まれた室内空気は、室内熱交換器１１を通過することによって熱交換されて、吹出口１４を介して室内に吹き出される。ファン１２から吹出口１４に至る流路上には、吹出口１４に近い方から順に、上下フラップ１５，左右フラップ１６が配置されている。また、本実施形態では、複数並べて設置されたＬＥＤが発光して所定の文字や記号等を表示することが可能な表示パネル１７が、前面パネル１８の内側に設けられている。この前面パネル１８は光透過性であって、表示パネル１７に表示される所定の文字や記号等は、この前面パネル１８に映し出される。
【００７９】
また、図３に示すように、この室内機１ａの制御部１９には、上記したファン１２と、表示パネル１７と、電源回路２０とが接続されている。電源回路２０には、上記した表示パネル１７（第１アクチュエータ）とファン１２（第２アクチュエータ）とが接続されており、電源回路２０は、表示パネル１７及びファン１２に対して所定量の電力を供給している。同一の電源回路２０に接続される表示パネル１７とファン１２とを比較した場合、ファン１２の定格消費電力は、表示パネル１７の定格消費電力に比べて大きく、電源回路２０から供給される電力の大半はファン１２によって消費されるので、ファン１２の消費電力が表示パネル１７の消費電力に対して支配的になる。以下、このような電源回路から供給される電力の大半を消費するようなアクチュエータを「支配的なアクチュエータ」とする。このため、電源回路２０は、ファン１２が動作しているときに電源効率が高くなるように設定されており、表示パネル１７の消費電力の実測値は、表示内容が同じであっても、ファン１２の運転状態に応じて変動する。つまり、表示パネル１７の消費電力の実測値は、ファン１２がＯＦＦ状態である場合に比べて、ファン１２がＯＮ状態である場合の方が小さくなる。以下、支配的なアクチュエータによってその消費電力が変動するようなアクチュエータを「従属的なアクチュエータ」とする。
【００８０】
そこで、本実施形態の制御部１９は、表示パネル１７の消費電力の推定値を、ＯＮ状態のファン１２（第２アクチュエータ）の数に応じて決定している。つまり、本実施形態では、ファン１２がＯＮ状態であるか（ＯＮ状態の第２アクチュエータの数が１つの場合）、又は、ＯＦＦ状態であるか（ＯＮ状態の第２アクチュエータの数が０の場合）に応じて、表示パネル１７の消費電力の推定値を決定している。そして、制御部１９は、表示パネル１７の消費電力の推定値を、ＯＮ状態のファン１２（第２アクチュエータ）の数が大きいほど小さい値に決定する。具体的には、表示パネル１７の消費電力の推定値は、図４に示すように、表示パネル１７がＯＦＦ状態の場合には当然０であるが、ファン１２がＯＦＦ状態且つ表示パネル１７がＯＮ状態の場合（ＯＮ状態の第２アクチュエータの数が０の場合）にはＡ１であり、ファン１２及び表示パネル１７が共にＯＮ状態の場合（ＯＮ状態の第２アクチュエータの数が１つの場合）にはＡ２である。ここで、ファン１２がＯＮ状態とは、回転数の大きさに関わらず、ファン１２が所定の回転数で回転している状態をいい、ファン１２がＯＦＦ状態とは、ファン１２が停止している状態をいう。また、表示パネル１７がＯＮ状態とは、表示パネル１７に常時何かが表示されている状態をいい、表示パネル１７に何も表示されていない状態をいう。
【００８１】
そして、本実施形態の電源回路２０は、上記したように、ファン１２が動作しているときに電源効率が高くなるように設定されているので、ファン１２が動作しているときの推定値Ａ２が、ファン１２が動作していないときの推定値Ａ１より小さくなっている。
【００８２】
また、本実施形態では、制御部１９は、上記した（１）表示パネル１７の消費電力の推定値（０，Ａ１，Ａ２のいずれか）と、（２）室内機１ａの制御部１９を搭載する基板の消費電力の推定値（以下、基本消費電力量とする）と、（３）ファン１２の消費電力の推定値（以下、ファン消費電力量とする）と、（４）室外機１ｂの消費電力の推定値（以下、室外消費電力量）との合計を算出することによって、空気調和機１全体の消費電力の推定値を算出する。
【００８３】
上記した（３）ファン消費電力量Ｂ１〜Ｂ１０は、図５に示すように、ファン１２の回転数に応じて区切られた運転ゾーンＺ１〜Ｚ１０毎に定められている。このファン消費電力量Ｂ１〜Ｂ１０は、ファン１２の回転数が大きくなるに従って大きくなる。
【００８４】
なお、表示パネル１７は、上記した空気調和機１全体の消費電力の推定値を表示することが可能であって、ユーザに対して上記した空気調和機１全体の消費電力の推定値を提供することができる。
【００８５】
［本実施形態の空気調和機の特徴］
本実施形態の空気調和機１には、以下のような特徴がある。
【００８６】
本実施形態の空気調和機１では、表示パネル１７の消費電力の推定値を、ファン１２の運転状態（ＯＮ状態、ＯＦＦ状態）に応じて決定するので、ファン１２の運転状態の影響に応じて電源回路２０の効率が変動する場合に、表示パネル１７の消費電力の推定値を正確に決定することができる。
【００８７】
また、本実施形態の空気調和機１では、ファン１２がＯＮ状態かＯＦＦ状態かに応じて表示パネル１７の消費電力の推定値（Ａ１又はＡ２）を決定することができるので、表示パネル１７の消費電力が小さい場合（表示パネル１７の消費電力が占める割合がそれほど大きくなく、表示パネル１７の消費電量の推定値をそれほど精度よく決定する必要がない場合）等、この２つの値（Ａ１及びＡ２）を用いて電源回路２０の効率を考慮した表示パネル１７の消費電力の推定値を容易に決定することができる。
【００８８】
また、本実施形態の空気調和機１では、ファン１２が動作しているときの推定値Ａ２をファン１２が動作していないときの推定値Ａ１より小さくすることによって、ファン１２がＯＮ状態のときに電源回路２０の効率が向上するように設定した場合に、表示パネル１７の消費電力の推定値を正確に決定することができる。
【００８９】
（変形例）
この第１実施形態では、同一の電源回路２０に対して、支配的なアクチュエータ（ファン１２）と、従属的なアクチュエータ（表示パネル１７）とがそれぞれ１つ接続される例について説明したが、本発明はこれに限らず、同一の電源回路に対して、１つの支配的なアクチュエータと、複数の従属的なアクチュエータとを接続してもよい。具体的には、図６に示すように、同一の電源回路２０に対して、支配的なアクチュエータであるファン１２と、従属的なアクチュエータである表示パネル１７Ａ及び１７Ｂとが接続されている。
【００９０】
この場合でも、制御部１９は、表示パネル１７Ａ及び１７Ｂの各消費電力の推定値を、ＯＮ状態のファン１２（第２アクチュエータ）の数に応じて決定する。
【００９１】
具体的には、表示パネル１７Ａの消費電力の推定値は、図７（ａ）に示すように、表示パネル１７ＡがＯＦＦ状態の場合には当然０であるが、ファン１２がＯＦＦ状態且つ表示パネル１７ＡがＯＮ状態の場合にはＡ１１であり、ファン１２及び表示パネル１７Ａが共にＯＮ状態の場合にはＡ１２である。
【００９２】
そして、表示パネル１７Ｂの消費電力の推定値は、図７（ｂ）に示すように、表示パネル１７ＢがＯＦＦ状態の場合には当然０であるが、ファン１２がＯＦＦ状態且つ表示パネル１７ＢがＯＮ状態の場合にはＡ２１であり、ファン１２及び表示パネル１７Ａが共にＯＮ状態の場合にはＡ２２である。
【００９３】
なお、表示パネル１７Ａと１７Ｂとが同一の場合には、消費電力の推定値Ａ１１とＡ２１とは同一の値となると共に、消費電力の推定値Ａ１２とＡ２２とは同一の値となる。
【００９４】
（第２実施形態）
図８は、ファンの運転ゾーンと表示パネルの消費電力の推定値との関係を示した表である。次に、図８を参照して、本発明の第２実施形態に係る空気調和機について詳細に説明する。なお、空気調和機の構成は、第１実施形態と同様であるので、同一番号を付しその説明を省略する。
【００９５】
本実施形態の制御部１９は、表示パネル１７の消費電力の推定値を、ＯＮ状態であるファン１２（第２アクチュエータ）の回転数（運転負荷）に応じて決定している。具体的には、制御部１９は、表示パネル１７の消費電力の推定値Ｃ１〜Ｃ１０を、図８に示すように、ファン１２の回転数（図５参照）に応じて区切られた複数の運転ゾーンＺ１〜Ｚ１０に応じて決定している。そして、制御部１９は、表示パネル１７の消費電力の推定値Ｃ１〜Ｃ１０を、電源回路２０の電源効率が最も高い運転ゾーンに近いほど小さい値に決定する。一例として、電源回路２０の電源効率が運転ゾーンＺ５のときに最も高くなるように設定した場合には、制御部１９は、表示パネル１７の消費電力の推定値Ｃ１〜Ｃ１０を、当該運転ゾーンＺ５に近いほど小さい値に決定する。従って、運転ゾーンＺ５に対応する表示パネル１７の消費電力の推定値Ｃ５が、最も小さい値となっている。
【００９６】
なお、この第２実施形態でも、上記した第１実施形態の変形例と同様に、同一の電源回路に対して、１つの支配的なアクチュエータと、複数の従属的なアクチュエータとを接続しても、従属的なアクチュエータの各消費電力の推定値を、ＯＮ状態であるファン１２（第２アクチュエータ）の回転数（運転負荷）に応じて決定することもできる。
【００９７】
なお、この第２実施形態では、運転負荷としてファンの「回転数」を用いる例について説明したが、本発明はこれに限らず、運転負荷として「ファンの消費電力の推定値」を用いてもよい。
【００９８】
［本実施形態の空気調和機の特徴］
本実施形態の空気調和機には、以下のような特徴がある。
【００９９】
本実施形態の空気調和機では、ファン１２の回転数（運転ゾーンＺ１〜Ｚ１０）の影響に応じて電源回路２０の効率が変動する場合に、表示パネル１７の消費電力の推定値を正確に決定することができる。つまり、この第２実施形態の制御部は、２つの推定値Ａ１及びＡ２しか用いない第１実施形態の制御部より、表示パネル１７の消費電力の推定値Ｃ１〜Ｃ１０を細かく決定することができる。
【０１００】
（第３実施形態）
図９は、本発明の第３実施形態に係る空気調和機の室内機のブロック図である。図１０は、ファンが単体で動作したときの回転数と消費電力との関係を示した表である。図１１は、２つのファンの消費電力の合計と係数との関係を示した表である。この第３実施形態では、同一の電源回路に定格消費電力が同等の２つのファン３００Ａ及び３００Ｂが接続された室内機３０１ａについて説明する。なお、この第３実施形態では、電源回路に接続されるアクチュエータを変更した以外は、第１及び第２実施形態と同様であるので、その説明を適宜省略する。
【０１０１】
図９に示すように、本実施形態に係る室内機３０１ａの制御部３１９には、ファン３００Ａ及び３００Ｂと、電源回路３２０とが接続されている。電源回路３２０には、上記した２つのファン３００Ａ（第１アクチュエータ）及び３００Ｂ（第２アクチュエータ）が接続されており、電源回路３２０は、ファン３００Ａ及び３００Ｂに対して所定量の電力を供給している。同一の電源回路３２０に接続されるファン３００Ａとファン３００Ｂとを比較した場合、両ファン３００Ａ及び３００Ｂの定格消費電力は、同等である。つまり、この第３実施形態では、同一の電源回路３２０に対して、定格消費電力が対等なアクチュエータが接続されている。
【０１０２】
本実施形態の制御部３１９は、ファン３００Ａ又は３００Ｂの消費電力の推定値を、以下のように決定する。
【０１０３】
［ファンが単体で動作する場合］
制御部３１９は、ファン３００Ａ及び３００Ｂのいずれか一方が単体で回転する場合には、図１０に示すように、ファン３００Ａ，３００Ｂの回転数に応じて区切られる複数の回転数ゾーン毎に定められる消費電力を、当該ファン３００Ａ又は３００Ｂの消費電力の推定値とする。一例として、ファン３００Ｂだけが回転（回転数：１０００）し且つファン３００Ａが回転していない場合、制御部３１９は、ファン３００Ｂの消費電力の推定値を２０Ｗと決定する。
【０１０４】
［両方のファンが同時に動作する場合］
ここで、本実施形態では、両方のファン３００Ａ及び３００Ｂが同時に動作する場合には、制御部３１９は、各ファン３００Ａ、３００Ｂの消費電力の推定値を、ＯＮ状態であるファン３００Ａ（第１アクチュエータ）の消費電力（運転負荷）と、ＯＮ状態であるファン３００Ｂ（第２アクチュエータ）の消費電力（運転負荷）との合計に応じて決定している。具体的には、図１１に示すように、ファン３００Ａを単体で動作させたときの消費電力の推定値と、ファン３００Ｂを単体で動作させたときの消費電力の推定値との合計（消費電力合計（Ｗ））に応じて定められる係数を用いて、各ファン３００Ａ、３００Ｂの消費電力の推定値を決定する。一例として、ファン３００Ａが５００回転で回転し、ファン３００Ｂが１０００回転で回転する場合、まず、制御部３１９は、図１０を参照して、ファン３００Ａを単体で動作させたときの消費電力の推定値１０Ｗと、ファン３００Ｂを単体で動作させたときの消費電力の推定値２０Ｗとの合計３０Ｗを算出する。そして、図１１に示すように、その合計３０Ｗに応じて定められる係数０．８を得る。そして、制御部３１９は、ファン３００Ａの消費電力の推定値を求める場合、ファン３００Ａを単体で動作させたときの消費電力の推定値１０Ｗに、係数０．８を乗じて得た値（１０×０．８＝８Ｗ）を、ファン３００Ａの消費電力の推定値と決定する。また、制御部３１９は、ファン３００Ｂの消費電力の推定値を求める場合、ファン３００Ｂを単体で動作させたときの消費電力の推定値２０Ｗに、係数０．８を乗じて得た値（２０×０．８＝１６Ｗ）を、ファン３００Ｂの消費電力の推定値と決定する。
【０１０５】
上記したように、ファン３００Ｂだけが回転した場合におけるファン３００Ｂの消費電力の推定値２０Ｗと、両ファン３００Ａ及び３００Ｂが回転した場合におけるファン３００Ｂの消費電力の推定値１６Ｗとが異なる値となっている。
【０１０６】
［本実施形態の空気調和機の特徴］
本実施形態の空気調和機には、以下のような特徴がある。
【０１０７】
本実施形態の空気調和機では、定格消費電力が対等のファン３００Ａ及び３００Ｂの消費電力（運転負荷）の影響に応じて電源回路３２０の効率が変動する場合に、ファン３００Ａ及び３００Ｂの各消費電力の推定値を正確に決定することができる。
【０１０８】
（変形例）
この第３実施形態では、制御部３１９は、ＯＮ状態であるファン３００Ａ（第１アクチュエータ）の「消費電力」と、ＯＮ状態であるファン３００Ｂ（第２アクチュエータ）の「消費電力」との合計に応じて、ファン３００Ａ又は３００Ｂの消費電力の推定値を決定しているが、本発明これに限らず、制御部３１９は、ＯＮ状態であるファン３００Ａ（第１アクチュエータ）の「回転数」と、ＯＮ状態であるファン３００Ｂ（第２アクチュエータ）の「回転数」との合計（ファン回転数合計）に応じて、ファン３００Ａ又は３００Ｂの消費電力の推定値を決定してもよい。具体的には、図１２に示すように、ファン３００Ａの「回転数」とファン３００Ｂの「回転数」との合計（ファン回転数合計）に応じて定められる係数を用いて、各ファン３００Ａ，３００Ｂの消費電力の推定値を決定する。
【０１０９】
（第４実施形態）
図１３は、本発明の第４実施形態に係る空気調和機の室内機のブロック図である。この第４実施形態では、同一の電源回路に定格消費電力が同等の２つのファン４００Ａ及び４００Ｂと、表示パネル４００Ｃとが接続された室内機４０１ａについて説明する。なお、この第４実施形態では、電源回路に接続されるアクチュエータを変更した以外は、第１〜第３実施形態と同様であるので、その説明を適宜省略する。
【０１１０】
図１３に示すように、本実施形態に係る室内機４０１ａの制御部４１９には、ファン４００Ａ及び４００Ｂと、表示パネル４００Ｃと、電源回路４２０とが接続されている。電源回路４２０には、上記した表示パネル４００Ｃ（第１アクチュエータ）と、２つのファン４００Ａ及び４００Ｂ（第２アクチュエータ群）とが接続されており、電源回路４２０は、それらのファン４００Ａ、４００Ｂ及び表示パネル４００Ｃに対して所定量の電力を供給している。同一の電源回路４２０に接続されるファン４００Ａと４００Ｂとを比較した場合、両ファン４００Ａ及び４００Ｂの定格消費電力は同等であり、それらの各ファン４００Ａ，４００Ｂと、表示パネル４００Ｃとを比較した場合、各ファン４００Ａ，４００Ｂの定格消費電力は、表示パネル４００Ｃの定格消費電力に比べて大きい。つまり、この第４実施形態では、２つの支配的なアクチュエータ（第２アクチュエータ群）と１つの従属的なアクチュエータとが同一の電源回路３２０に対して接続されている。そして、この２つの支配的なアクチュエータは定格消費電力が対等である。
【０１１１】
本実施形態の制御部４１９は、表示パネル４００Ｃの消費電力の推定値を、ＯＮ状態であるファン４００Ａ（第２アクチュエータ）の消費電力（運転負荷）と、ＯＮ状態であるファン４００Ｂ（第２アクチュエータ）の消費電力（運転負荷）との合計に応じて決定している。具体的には、図１１に示すように、ファン４００Ａを単体で動作させたときの消費電力の推定値（図１０参照）と４００Ｂを単体で動作させたときの消費電力の推定値（図１０参照）との合計（消費電力合計（Ｗ））に応じて定められる係数（図１１参照）を用いて、表示パネル４００Ｃの消費電力の推定値を決定する。一例として、ファン４００Ａの消費電力の合計とファン４００Ｂの消費電力の合計とが３０Ｗの場合、図１１を参照して、その合計３０Ｗに応じて定められる係数０．８を得る。そして、制御部４１９は、表示パネル４００Ｃの消費電力の推定値を求める場合、表示パネル４００Ｃの消費電力の推定値（例えば、１Ｗ）に、当該係数０．８を乗じて得た値（１×０．８＝０．８Ｗ）を、表示パネル４００Ｃの消費電力の推定値と決定する。
【０１１２】
なお、ファン４００Ａ及び４００Ｂの各々の消費電力の推定値は、従属的なアクチュエータである表示パネル４００Ｃを除いた第３実施形態の室内機と同様に考えることができる。
【０１１３】
なお、この第４実施形態では、運転負荷としてファンの「消費電力」を用いる例について説明したが、本発明はこれに限らず、第３実施形態の変形例と同様にして、運転負荷としてファンの「回転数」を用いてもよい。
【０１１４】
［本実施形態の空気調和機の特徴］
本実施形態の空気調和機には、以下のような特徴がある。
【０１１５】
本実施形態の空気調和機では、支配的なアクチュエータが複数ある場合に、その支配的なアクチュエータ（ファン４００Ａ及び４００Ｂ）の合計の運転負荷に応じて、従属的なアクチュエータ（表示パネル４００Ｃ）の消費電力の推定値を正確に決定することができる。
【０１１６】
（第５実施形態）
図１４は、本発明の第５実施形態に係る空気調和機の室内機のブロック図である。この第５実施形態では、同一の電源回路に定格消費電力が同等の３つのファン５００Ａ〜５００Ｃが接続された室内機５０１ａについて説明する。なお、この第５実施形態では、電源回路に接続されるアクチュエータを変更した以外は、第１〜第４実施形態と同様であるので、その説明を適宜省略する。
【０１１７】
図１４に示すように、本実施形態に係る室内機５０１ａの制御部５１９には、３つのファン５００Ａ〜５００Ｃと、電源回路５２０とが接続されている。電源回路５２０には、上記した３つのファン５００Ａ〜５００Ｃが接続されており、電源回路５２０は、それらのファン５００Ａ〜５００Ｃに対して所定量の電力を供給している。同一の電源回路５２０に接続されるこれらのファン５００Ａ〜５００Ｃは、同等の定格消費電力である。つまり、この第５実施形態では、同一の電源回路５２０に対して、定格消費電力が対等なアクチュエータが３つ接続されている。
【０１１８】
本実施形態の制御部５１９は、ファン５００Ａ〜５００Ｃの消費電力の推定値を、ＯＮ状態であるファン５００Ａの消費電力（運転負荷）と、ＯＮ状態であるファン５００Ｂの消費電力（運転負荷）と、ＯＮ状態であるファン５００Ｃの消費電力（運転負荷）との合計に応じて決定している。具体的には、ファン５００Ａを単体で動作させたときの消費電力の推定値（図１０参照）と、ファン５００Ｂを単体で動作させたときの消費電力の推定値（図１０参照）と、ファン５００Ｃを単体で動作させたときの消費電力の推定値（図１０参照）との合計（消費電力合計（Ｗ））に応じて定められる係数（図１１参照）を用いて、各ファン５００Ａ〜５００Ｃの消費電力の推定値を決定する。
【０１１９】
なお、この第５実施形態では、運転負荷としてファンの「消費電力」を用いる例について説明したが、本発明はこれに限らず、第３実施形態の変形例と同様にして、運転負荷としてファンの「回転数」を用いてもよい。
【０１２０】
［本実施形態の空気調和機の特徴］
本実施形態の空気調和機には、以下のような特徴がある。
【０１２１】
本実施形態の空気調和機では、定格消費電力が対等のアクチュエータが３つ以上ある場合でも、それらの対等なアクチュエータ（ファン５００Ａ〜５００Ｃ）の合計の消費電力の合計（運転負荷）に応じて、各アクチュエータ（ファン５００Ａ〜５００Ｃ）の消費電力の推定値を正確に決定することができる。
【０１２２】
（第６実施形態）
図１５は、本発明の第６実施形態に係る空気調和機の室内機のブロック図である。この第６実施形態では、同一の電源回路６２０に定格消費電力が対等の２つのファン６００Ａ及び６００Ｂが接続された室内機６０１ａについて説明する。なお、この第６実施形態の室内機６０１ａは、上記第３実施形態と同様の構成であるが、第３実施形態の制御部３１９が１つのアクチュエータ（ファン３００Ａ又は３００Ｂ）の消費電力の推定値を決定するのに対して、この第６実施形態の制御部６１９は、同一の電源回路６２０に接続される２つのアクチュエータの消費電力の「合計推定値」を決定する。
【０１２３】
図１５に示すように、本実施形態に係る室内機６０１ａの制御部６１９には、第３実施形態の室内機３０１ａと同様に、ファン６００Ａ及び６００Ｂと、電源回路６２０とが接続されている。電源回路６２０には、２つのファン６００Ａ（第１アクチュエータ）及び６００Ｂ（第２アクチュエータ）が接続されており、電源回路６２０は、ファン６００Ａ及び６００Ｂに対して所定量の電力を供給している。同一の電源回路６２０に接続されるファン６００Ａ及び６００Ｂとを比較した場合、両ファン６００Ａ及び６００Ｂの定格消費電力は、同等である。つまり、この第６実施形態では、同一の電源回路６２０に対して、定格消費電力が対等なアクチュエータが接続されている。
【０１２４】
本実施形態の制御部６１９は、同一の電源回路６２０に接続される２つのファン６００Ａ及び６００Ｂの合計推定値を、ＯＮ状態であるファン６００Ａ（第１アクチュエータ）の消費電力（運転負荷）と、ＯＮ状態であるファン６００Ｂ（第２アクチュエータ）の消費電力（運転負荷）との合計に応じて決定している。具体的には、ファン６００Ａを単体で動作させたときの消費電力の推定値（図１０参照）と、ファン６００Ｂを単体で動作させたときの消費電力の推定値（図１０参照）との合計（消費電力合計（Ｗ））に応じて定められる係数（図１１参照）を用いて、複数のファン６００Ａ及び６００Ｂの合計推定値を決定する。一例として、ファン６００Ａが５００回転で回転し、ファン６００Ｂが１０００回転で回転する場合、制御部６１９は、ファン６００Ａを単体で動作させたときの消費電力の推定値１０Ｗと、ファン６００Ｂを単体で動作させたときの消費電力の推定値２０Ｗとの合計３０Ｗを算出する。そして、図１１を参照して、その合計３０Ｗに応じて定められる係数０．８を得る。そして、制御部６１９は、複数のアクチュエータの「合計推定値」を求める場合、当該合計の推定値３０Ｗに、係数０．８を乗じて得た値（３０×０．８＝２４Ｗ）を、複数のアクチュエータの合計推定値と決定する。
【０１２５】
［本実施形態の空気調和機の特徴］
本実施形態の空気調和機には、以下のような特徴がある。
【０１２６】
本実施形態の空気調和機では、２つのファン６００Ａ及び６００Ｂの合計推定値を、当該２つのファン６００Ａ及び６００Ｂの運転状態に応じて決定するので、対等なアクチュエータであるファン６００Ａ及び６００Ｂの運転状態の影響に応じて電源回路６２０の効率が変動する場合に、当該合計推定値を正確に決定することができる。
【０１２７】
（変形例）
この第６実施形態では、制御部６１９は、ＯＮ状態であるファン６００Ａ（第１アクチュエータ）の「消費電力」と、ＯＮ状態であるファン６００Ｂ（第２アクチュエータ）の「消費電力」との合計に応じて、同一の電源回路６２０に接続される複数のファン６００Ａ及び６００Ｂの合計推定値を決定しているが、本発明これに限らず、上記した第３実施形態の変形例と同様に、制御部６１９は、ＯＮ状態であるファン６００Ａ（第１アクチュエータ）の「回転数」と、ＯＮ状態であるファン６００Ｂ（第２アクチュエータ）の「回転数」との合計（ファン回転数合計）に応じて、同一の電源回路６２０に接続される複数のファン６００Ａ及び６００Ｂの合計推定値を決定してもよい。
【０１２８】
（変形例）
また、この第６実施形態では、定格消費電力が対等なアクチュエータであるファン６００Ａ及び６００Ｂのみが同一の電源回路６２０に接続される例について説明したが、本発明はこれに限らず、図１６に示すように、第４実施形態に係る室内機４０１ａと同様に、定格消費電力が対等で且つ支配的なアクチュエータであるファン６００Ａ及び６００Ｂの他に、従属的なアクチュエータである表示パネル６００Ｃが、同一の電源回路６２０に接続されていてもよい。この場合、同一の電源回路６２０に接続される複数のアクチュエータの消費電力の「合計推定値」は、上記第６実施形態において決定した同一の電源回路６２０に接続される複数のファン６００Ａ及び６００Ｂの合計推定値と、その合計推定値の大きさ応じて定義された表示パネル６００Ｃの消費電力の推定値とを加えたものである。具体的には、図１７に示すように、ファン６００Ａを単体で動作させたときの消費電力の推定値（図１０参照）と、ファン６００Ｂを単体で動作させたときの消費電力の推定値（図１０参照）との合計（消費電力合計（Ｗ））に応じて定められる係数（図１１参照）を用いて、複数のファン６００Ａ及び６００Ｂの合計推定値を決定する。一例として、ファン６００Ａが５００回転で回転し、ファン６００Ｂが１０００回転で回転する場合、制御部６１９は、ファン６００Ａを単体で動作させたときの消費電力の推定値１０Ｗと、ファン６００Ｂを単体で動作させたときの消費電力の推定値２０Ｗとの合計３０Ｗを算出する。そして、その合計３０Ｗに応じて定められる係数０．８（図１１参照）を得る。そして、制御部６１９は、支配的なアクチュエータの合計推定値を求めるために、当該合計の推定値３０Ｗに、係数０．８を乗じて得た値（３０×０．８＝２４Ｗ）を、支配的のアクチュエータの合計推定値と決定する。さらに、制御部６１９は、図１７を参照して、当該合計推定値（２４Ｗ）と、当該合計推定値に応じて定められる表示パネル６００Ｃの消費電力の推定値（３Ｗ）とを合計して算出される値（２４Ｗ＋３Ｗ＝２７Ｗ）を、同一の電源回路６２０に接続される複数のアクチュエータ（ファン６００Ａ，６００Ｂ及び表示パネル６００Ｃ）の合計推定値と決定する。
【０１２９】
（第７実施形態）
図１８は、本発明の第７実施形態に係る空気調和機の室内機のブロック図である。この第７実施形態では、同一の電源回路に定格消費電力が同等の３つのファン７００Ａ〜７００Ｃが接続された室内機７０１ａについて説明する。なお、この第７実施形態の室内機７０１ａは、上記第５実施形態と同様の構成であるが、第５実施形態の制御部５１９が１つのアクチュエータの消費電力の推定値を決定するのに対して、この第７実施形態の制御部７１９は、同一の電源回路７２０に接続される３つのアクチュエータの消費電力の「合計推定値」を決定する。
【０１３０】
図１８に示すように、本実施形態に係る室内機７０１ａの制御部７１９には、３つのファン７００Ａ〜７００Ｃと、電源回路７２０とが接続されている。電源回路７２０には、上記した３つのファン７００Ａ〜７００Ｃが接続されており、電源回路７２０は、それらのファン７００Ａ〜７００Ｃに対して所定量の電力を供給している。同一の電源回路７２０に接続されるこれらのファン７００Ａ〜７００Ｃは、同等の定格消費電力である。つまり、この第７実施形態では、同一の電源回路７２０に対して、定格消費電力が対等なアクチュエータが３つ接続されている。
【０１３１】
本実施形態の制御部７１９は、ファン７００Ａ〜７００Ｃの合計推定値を、ＯＮ状態であるファン７００Ａの消費電力（運転負荷）と、ＯＮ状態であるファン７００Ｂの消費電力（運転負荷）と、ＯＮ状態であるファン７００Ｃの消費電力（運転負荷）との合計に応じて決定している。具体的には、ファン７００Ａを単体で動作させたときの消費電力の推定値（図１０参照）と、ファン７００Ｂを単体で動作させたときの消費電力の推定値（図１０参照）と、ファン７００Ｃを単体で動作させたときの消費電力の推定値（図１０参照）との合計（消費電力合計（Ｗ））に応じて定められる係数（図１１参照）を用いて、ファン７００Ａ〜７００Ｃの合計推定値を決定する。
【０１３２】
なお、この第７実施形態では、運転負荷としてファンの「消費電力」を用いる例について説明したが、本発明はこれに限らず、第６実施形態の変形例と同様にして、運転負荷としてファンの「回転数」を用いてもよい。
【０１３３】
［本実施形態の空気調和機の特徴］
本実施形態の空気調和機には、以下のような特徴がある。
【０１３４】
本実施形態の空気調和機では、消費電力量が同等の支配的なアクチュエータが３つ以上ある場合でも、それらの支配的なアクチュエータ（ファン７００Ａ〜７００Ｃ）の合計の消費電力の合計（運転負荷）に応じて、アクチュエータ（ファン７００Ａ〜７００Ｃ）の合計推定値を正確に決定することができる。
【０１３５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【０１３６】
例えば、上記実施形態では、消費電力推定装置を空気調和機に適用する例について説明したが、本発明はこれに限らず、同一の電源回路に接続される複数のアクチュエータを備えた機器であれば、空気調和機に限定されない。
【産業上の利用可能性】
【０１３７】
本発明を利用すれば、アクチュエータの消費電力の推定値を正確に決定する消費電力推定装置及び空気調和機を得ることができる。
【図面の簡単な説明】
【０１３８】
【図１】本発明の第１実施形態に係る空気調和機の全体構成を示した斜視図である。
【図２】図１に示した空気調和機の室内機の内部構造を示した断面図である。
【図３】図１に示した空気調和機の室内機のブロック図である。
【図４】図２に示した室内機の表示パネルの消費電力の推定値を示した表である。
【図５】図２に示した室内機のファンの消費電力の推定値を示した表である。
【図６】第１実施形態の変形例に係る室内機のブロック図である。
【図７】図６に示した室内機の各表示パネルの消費電力の推定値を示した表である。
【図８】ファンの運転ゾーンと表示パネルの消費電力の推定値との関係を示した表である。
【図９】本発明の第３実施形態に係る空気調和機の室内機のブロック図である。
【図１０】ファンが単体で動作したときの回転数と消費電力との関係を示した表である。
【図１１】２つのファンの消費電力の合計と係数との関係を示した表である。
【図１２】第３実施形態の変形例に係る２つのファンの回転数の合計と係数との関係を示した表である。
【図１３】本発明の第４実施形態に係る空気調和機の室内機のブロック図である。
【図１４】本発明の第５実施形態に係る空気調和機の室内機のブロック図である。
【図１５】本発明の第６実施形態に係る空気調和機の室内機のブロック図である。
【図１６】第６実施形態の変形例に係る空気調和機の室内機のブロック図である。
【図１７】２つのファンの消費電力の合計と表示パネルの消費電力の推定値との関係を示した表である。
【図１８】本発明の第７実施形態に係る空気調和機の室内機のブロック図である。
【符号の説明】
【０１３９】
１  空気調和機（消費電力推定装置）
１ａ，３０１ａ，４０１ａ，５０１ａ，６０１ａ，７０１ａ  室内機
１ｂ  室外機
１２  ファン（第２アクチュエータ群）
１７，１７Ａ，１７Ｂ  表示パネル（第１アクチュエータ）
１９，３１９，４１９，５１９，６１９，７１９  制御部（決定手段）
２０，３２０，４２０，５２０，６２０，７２０  電源回路
３００Ａ，３００Ｂ  ファン（第１アクチュータ、第２アクチュエータ群）
４００Ａ，４００Ｂ  ファン（第２アクチュエータ群）
４００Ｃ  表示パネル（第１アクチュエータ）
５００Ａ，５００Ｂ，５００Ｃ  ファン（第１アクチュータ、第２アクチュエータ群）
６００Ａ，６００Ｂ  ファン（第１アクチュータ、第２アクチュエータ群）
７００Ａ，７００Ｂ，７００Ｃ  ファン（第１アクチュータ、第２アクチュエータ群）
【図１】
2010121866.tif 000003
【図２】
2010121866.tif 000004
【図３】
2010121866.tif 000005
【図４】
2010121866.tif 000006
【図５】
2010121866.tif 000007
【図６】
2010121866.tif 000008
【図７】
2010121866.tif 000009
【図８】
2010121866.tif 000010
【図９】
2010121866.tif 000011
【図１０】
2010121866.tif 000012
【図１１】
2010121866.tif 000013
【図１２】
2010121866.tif 000014
【図１３】
2010121866.tif 000015
【図１４】
2010121866.tif 000016
【図１５】
2010121866.tif 000017
【図１６】
2010121866.tif 000018
【図１７】
2010121866.tif 000019
【図１８】
2010121866.tif 000020